(57)【特許請求の範囲】
【請求項１】
表示面が行列に整列された複数の単位表示デバイスから構成された映像表示装置であって、
前記単位表示デバイスは、
画像表示を行う一以上の前記表示面を有する表示部と、
表示画面サイズ及び描画長が同一又は異なる任意形状の画像を示し、かつ、表示位置情報を有するパケット形式の複数の映像信号が複数の入力端子より同時に入力される受信部と、
前記受信部から供給される前記映像信号の前記表示位置情報と前記表示部の表示面の既知の画面サイズとを比較して、供給される前記映像信号を前記表示部の表示面の表示範囲内と表示範囲外あるいは表示対象と表示対象外に分割し、前記表示範囲内あるいは前記表示対象の映像信号を前記表示部に表示させるとともに、前記表示範囲外あるいは前記表示対象外の前記映像信号の表示位置情報をその表示位置情報が示す表示開始位置から前記表示面の既知の画面サイズを減じた表示開始位置を示す表示位置情報に加工する加工部と、
前記加工部により加工した加工後の表示位置情報とともに前記表示範囲外あるいは前記表示対象外の映像信号を、前記加工後の表示位置情報に応じた隣接する別の単位表示デバイスに出力する出力部と、
を備え、前記複数の単位表示デバイスのうち一以上の単位表示デバイスの前記受信部に入力される前記パケット形式の複数の映像信号が示す前記任意形状の画像の重なりを許した同時表示を、前記加工部で合成映像を作る処理を行うことなく前記複数の単位表示デバイスのうち前記表示位置情報に基づき指定された一以上の前記単位表示デバイスで行うことを特徴とする映像表示装置。
【請求項２】
前記単位表示デバイスは、供給される２つの前記パケット形式の映像信号の前記表示位置情報が同一の表示位置を示しているときは、予め定めた合成制御命令データ又は前記２つの映像信号の前記表示位置情報から生成した合成制御命令データに従って前記２つの映像信号の前記同一表示位置の映像信号部分の表示内容を決定する同時表示手段を有することを特徴とする請求項１記載の映像表示装置。
【請求項３】
前記単位表示デバイスは、前記表示面を２つもち、該２つの表示面は互いにずれて整列した表示デバイスであることを特徴とする請求項１記載の映像表示装置。
【請求項４】
前記行列に整列された前記複数の単位表示デバイスのそれぞれは、一以上の入力端子と、上、下、左、右、及び斜め方向のいずれか一以上の方向に隣接する他の単位表示デバイスと接続するためのそれぞれの出力端子とを備えることを特徴とする請求項１記載の映像表示装置。
【請求項５】
前記単位表示デバイスは、
前記表示面の任意の表示領域を選択する選択手段と、
前記選択手段で選択された表示領域に、前記選択された表示領域以外の表示領域のデータ数より相対的にデータ数の多い高精細の映像データを供給する供給手段と、
前記選択された表示領域で、前記選択された表示領域以外の表示領域のデータ数より相対的にデータ数の多い高精細の映像データを表示する表示手段と、
を更に備えることを特徴とする請求項１記載の映像表示装置。
【請求項６】
前記複数の単位表示デバイスのそれぞれは、
配置認識の指示入力があった時は、前記指示入力が無かった一以上の他の単位表示デバイスにそれぞれ互いに異なるパターンをデフォルトで表示させるとともに、前記他の単位表示デバイスが表示する各パターンをそれぞれ示すアイコン群を表示する表示手段と、
外部入力により、前記他の単位表示デバイスが表示している前記パターンに基づいて、前記アイコン群の各アイコンを前記他の単位表示デバイスの配置位置を示すアイコン順に整列させる整列手段と
を備えることを特徴とする請求項１記載の映像表示装置。
【請求項７】
前記複数の単位表示デバイスのうち任意の一の単位表示デバイスに接続されて、前記複数の単位表示デバイスの全体画像を撮像する撮像カメラと、
前記撮像カメラにより前記全体画像を前記一の単位表示デバイスに表示させた状態で、入力された映像信号と、その入力された映像信号を表示した単位表示デバイスとの対応から、前記映像信号が入力された前記単位表示デバイスの位置情報を読み取る手段と
を備えることを特徴とする請求項１記載の映像表示装置。
【発明の詳細な説明】
【技術分野】
【０００１】
この発明は、複数の映像表示デバイスを束ねてひとつの表示装置として用いる映像表示装置に関している。
【背景技術】
【０００２】
従来の映像表示装置は、１つの映像制御装置からの映像信号の表示に際して全画面を占有して表示するように設計されており、テレビやパソコン、計測器機の表示部等の映像は、それぞれの映像表示装置を占有した状態で表示されていた。このため、それぞれ独立な複数の映像を表示するには、表示させたい映像の数だけ映像表示装置を用意する必要があった。もちろん、時分割多重化あるいは空間多重化は可能であって、つまり、切り替え装置を使って時分割多重化を行い、単一の映像表示装置に複数の画像を表示することは可能である。また、画面分割装置を使って空間多重化を行い、複数の映像を合成した合成映像を作りその合成映像を１つの画面に複数画面をいれて表示することも可能である。しかし、複数の画像を合成して表示するには、合成操作を行なう制御装置が別に必要であった。また、上記の場合とは逆に、１つの映像を複数の表示デバイスで分担する表示は、マルチモニタ（あるいはマルチディスプレイ）表示として知られており、また、よく用いられている。これは、複数の表示デバイスを連結して物理的に大きな画面を有する映像表示装置を構成するものであり、各表示デバイスは、共通の制御装置から、映像表示装置における表示デバイスのそれぞれの位置に応じたそれぞれの映像信号を表示するものである。複数の表示デバイスを連結して物理的に大きな画面を有する映像表示装置を構成するものであり、各表示デバイスには、その表示デバイスの受け持ち領域で切り出した映像信号を与える必要があり、複数の表示デバイスにそれぞれの映像信号を供給する制御装置が別に必要であった。
【先行技術文献】
【特許文献】
【０００３】
【特許文献１】特許第３５２０３１８号公報
【発明の概要】
【発明が解決しようとする課題】
【０００４】
ひとつの映像表示装置で、複数の異なる規格の素材映像の同時表示を可能にし、マルチディスプレイで、それぞれの表示デバイスを上下左右に任意に配置した映像表示装置を構成した場合でも、制御装置を必要とせずに、１つの画像を上記の映像表示装置での表示を可能にする。
【課題を解決するための手段】
【０００５】
本発明は、概略、各映像信号を統一した規格に従ったデジタル映像信号にすることにより、テレビやパソコン、計測器機の表示内容、デジタルカメラ、携帯電話画面、電子本、電子新聞、など種々の表示形態のあらゆる映像データを、ひとつの映像表示装置の任意の位置に、しかも重なりを許して、いくつでも表示させることを可能にするものである。さらに、本発明を用いれば、表示デバイスを連結することで、連続した表示画面が得られ、連続した表示画面が、あたかも元々一つの巨大画面であるかのように、複数の表示画面内の任意の位置にシームレスに表示させることを可能にする。連結する表示デバイスは、白黒とカラー、静止画用と動画用といった、解像度や画面更新間隔が異なっていてもよい。利用者は、各自好みの位置に好みの表示デバイスを結合して、ひとつの映像表示装置として取り扱うことが可能になる。本発明で用いるデジタル映像信号は、表示デバイスの画面サイズとは無関係であってよい。例えば、表示デバイスの画面サイズが１００×１００画素、映像信号が１２０×８０画素であった場合、映像信号の一部が表示され、表示デバイスからはみ出した部分は、別の表示デバイスに表示されるか、あるいは棄却される。
【０００６】
映像信号は、表示開始位置を指定した映像信号パケットとする。表示デバイスには、図１のように、複数の入出力端子と、上下左右、斜め等に接続する映像表示装置のための入出力端子を少なくとも１つ設ける。各表示デバイスは、映像信号パケットの表示開始位置を読み、それぞれの表示デバイスの表示範囲の部分を判断し、その部分を表示する。表示範囲外の部分があれば、その部分の映像信号バケットの表示位置データを加工し、適切な入出力端子から出力する。同一位置に２つ以上の映像信号パケットの表示要求があった場合には、予め決めておいた手順に従い、表示内容を決定し、表示する。
【０００７】
このため、本発明の映像表示装置は、表示面が行列に整列された複数の単位表示デバイスから構成された映像表示装置であって、
前記単位表示デバイスは、画像表示を行う一以上前記表示面を有する表示部と、表示画面サイズ及び描画長が同一又は異なる任意形状の画像を示し、かつ、表示位置情報を有するパケット形式の複数の映像信号が複数の入力端子より同時に入力される受信部と、前記受信部から供給される前記映像信号の前記表示位置情報と前記表示部の表示面の既知の画面サイズとを比較して、供給される前記映像信号を前記表示部の表示面の表示範囲内と表示範囲外あるいは表示対象と表示対象外に分割し、前記表示範囲内あるいは前記表示対象の映像信号を前記表示部に表示させるとともに、前記表示範囲外あるいは前記表示対象外の前記映像信号の表示位置情報をその表示位置情報が示す表示開始位置から前記表示面の既知の画面サイズを減じた表示開始位置を示す表示位置情報に加工する加工部と、前記加工部により加工した加工後の表示位置情報とともに前記表示範囲外あるいは前記表示対象外の映像信号を、前記加工後の表示位置情報に応じた隣接する別の単位表示デバイスに出力する出力部と、を備え、前記複数の単位表示デバイスのうち一以上の単位表示デバイスの前記受信部に入力される前記パケット形式の複数の映像信号が示す前記任意形状の画像の重なりを許した同時表示を、前記加工部で合成映像を作る処理を行うことなく前記複数の単位表示デバイスのうち前記表示位置情報に基づき指定された一以上の前記単位表示デバイスで行うものである。
【０００９】
また、上記の単位表示デバイスは、供給される２つのパケット形式の映像信号の表示位置情報が同一の表示位置を示しているときは、予め定めた合成制御命令データ又は２つの映像信号の表示位置情報から生成した合成制御命令データに従って２つの映像信号の同一表示位置の映像信号部分の表示方法を決定する同時表示手段を有することを特徴とする。更に、単位表示デバイスは、表示面を２つもち、該２つの表示面は互いにずれて整列した表示デバイスであることを特徴とする。
【００１０】
また、前記行列に整列された前記複数の単位表示デバイスのそれぞれは、一以上の入力端子と、上、下、左、右、及び斜め方向のいずれか一以上の方向に隣接する他の単位表示デバイスと接続するためのそれぞれの出力端子とを備えるものである。
【００１２】
また、本発明は前記単位表示デバイスが、表示面の任意の表示領域を選択する選択手段と、選択手段で選択された表示領域に、選択された表示領域以外の表示領域のデータ数より相対的にデータ数の多い高精細の映像データを供給する供給手段と、選択された表示領域で、選択された表示領域以外の表示領域のデータ数より相対的にデータ数の多い高精細の映像データを表示する表示手段と、を更に備えることを特徴とする。
【００１４】
また、本発明は前記複数の単位表示デバイスのそれぞれが、配置認識の指示入力があった時は、指示入力が無かった一以上の他の単位表示デバイスにそれぞれ互いに異なるパターンをデフォルトで表示させるとともに、他の単位表示デバイスが表示する各パターンをそれぞれ示すアイコン群を表示する表示手段と、外部入力により、他の単位表示デバイスが表示しているパターンに基づいて、アイコン群の各アイコンを他の単位表示デバイスの配置位置を示すアイコン順に整列させる整列手段とを備えることを特徴とする。
【００１５】
また、本発明は、複数の単位表示デバイスのうち任意の一の単位表示デバイスに接続されて、複数の単位表示デバイスの全体画像を撮像する撮像カメラと、撮像カメラにより全体画像を一の単位表示デバイスに表示させた状態で、入力された映像信号と、その入力された映像信号を表示した単位表示デバイスとの対応から、映像信号が入力された単位表示デバイスの位置情報を読み取る手段とを備えるようにしてもよい。
【発明の効果】
【００１６】
この発明は、合成映像を作ることなく、複数の映像を同時に表示する映像表示装置を提供することで、異なる規格の素材映像の同時表示を、画質低下を伴わずに可能になる。また、本発明では、それぞれの表示デバイスを上下左右に任意に配置した映像表示装置を構成した場合でも、制御装置を必要とせずに、１つの画像を上記の映像表示装置での表示を可能になる。
【図面の簡単な説明】
【００１７】
【図１】本発明の映像表示装置の構成単位となる表示デバイスを示す図である。
【図２】本発明の映像表示装置を構成する表示デバイス１の内部構成を示す図である。
【図３】本発明の映像表示装置の例を示す図である。
【図４】本発明の表示デバイスの１ラインの映像信号例を示す図である。
【図５】本発明の映像表示装置の例で４つの表示デバイスに分割して表示するメカニズムを示す図である。
【図６】チューナで受信した映像を、利用者の指示に従って、表示デバイスで表示するまでの手順の事例を示す図である。
【図７】単位表示デバイスを用いて構成した映像表示装置の例を示す図である。
【図８】選択された領域に高精細画像を表示するための映像表示装置を構成する表示デバイス１の内部構成を示すブロック図である。
【図９】選択された領域に高精細画像を表示する領域を入力するための映像表示装置を構成する表示デバイスの内部構成を示すブロック図である。
【図１０】表示デバイスの配置認識を行うためのセットアップを示す模式図である。
【発明を実施するための形態】
【００１８】
以下に、この発明の実施の形態を図面に基づいて詳細に説明する。以下の説明においては、同じ機能あるいは類似の機能をもった装置に、特別な理由がない場合には、同じ符号を用いるものとする。
【００１９】
図１は、本発明の映像表示装置を構成する表示デバイス１を示す。これは、大画面の四辺形の表示領域となる映像表示装置を構成する場合には、左下隅から上下斜め右上に表示デバイス１をそれぞれ配置し配線する。それぞれの表示デバイスに、この操作を繰り返して、望みの表示領域を持った映像表示装置を構成するものである。表示デバイス１の入力は４入力となっているが、最低限１入力あればよい。
【００２０】
本発明の映像表示装置を構成する表示デバイス１の内部構成を図２に示す。図２の表示デバイス１は、複数の映像信号パケット形式の映像信号を同時に受信する受信部２と、映像信号パケットを表示範囲内と範囲外に分割し、表示範囲外の映像信号パケットの表示開始位置データを加工する加工部３と、加工された映像信号パケットを出力する送信部４と、表示範囲内と判断された映像信号パケットを表示する表示部５と、から構成される。図２の構成により、この表示デバイスを複数、相互接続して表示範囲を広げることが可能になる。
【００２１】
表示範囲内の映像信号パケットを表示する表示部の実現方法にはいろいろあるが、例えば、特許文献１（特許第３５２０３１８号公報「映像合成処理システム」）に記載された方法を用いて実現できる。すなわち、同一位置に２つの映像信号パケットの表示要求があった場合、どのような映像を表示すべきかを、予め用意しておいた合成制御命令データ、あるいは、映像信号パケットから生成した合成制御命令データを表示部に与えることにより表示内容を決定する。
【実施例１】
【００２２】
図３は、４入力、上、右上、及び右に入出力端子を持つ場合の本発明の５つの表示デバイス２１〜２５を接続し、長方形の右上が欠けた形状の表示画面を構成した映像表示装置２０を示す。それぞれの表示デバイス２１〜２５には、それぞれの表示限界位置を予め入力し記憶させている。入力として、ビデオカメラ１１、チューナ１２、１３、デジタルカメラ１５、パソコン１６の映像を、一部でハブ１４を経由して入力している図である。これらの装置からの入力信号は全て、以下で説明する「表示開始位置を指定した映像信号パケット」の形式である。パソコン１６からは、楕円と四角の２つの素材を示す画像の映像信号が出力されている。映像表示装置２０の入力端子のどこに何を入力しても構わない。入力端子が不足した場合には、上記の様にハブにより分岐することで対応する。１つの表示デバイスで表示できるよりも画素数の大きな映像信号、例えば、図３におけるデジタルカメラ１５はそのような画素数であるときその映像信号は、映像信号の表示開始位置の情報により自動的に４つの表示デバイス２１、２２、２４、２５に分解されて表示される。
【００２３】
また、表示デバイス２１は、チューナ１３で受信した歌番組放送の図３に示すような矩形領域で表示される映像と、ビデオカメラ１で撮影した、図３に示すような人物そのものの映像とを表示位置が重なるように表示する。これにより、撮影した人物が歌番組の放送の中の人と一緒にステージで踊っているような映像を得ることができる。
【００２４】
図３のチューナ１２で受信した映像は表示デバイス２３で表示されるが、この場合の１ラインの映像信号を図４に示す。画面のうち、横線で示した映像信号に着目して説明する。この１ラインの映像信号の表示開始位置は、（ｘ，ｙ）の並びの右端の（１３１０，４００）である。一方、各表示デバイスの画面サイズが横６４０ドット、縦４８０ドットであるとする。左下の表示デバイス２１では、この映像信号パケットの表示開始位置のｘ座標の値が描画範囲外であることを判断し、ｘ座標の値を横の画面サイズ分だけ減じた６７０（＝１３１０−６４０）に変更して、右の出力端子より出力する。この映像信号パケットを受け取った２番目の表示デバイス２２も同様に、ｘ座標の値を横の画面サイズ分だけ減じた３０（＝６７０−６４０）に変更して、右の出力端子より出力する。この映像信号パケットを受け取った３番目の表示デバイス２３は、表示開始位置が表示範囲内であることから、映像信号パケットを表示範囲内と範囲外に分割し（この例では、範囲外の部分は空）、範囲内の部分を表示部にて表示する。
【００２５】
映像信号パケットの上方向への自動転送のメカニズムも同様であり、上下左右に接続した映像表示装置全体で整合性の取れた描画となる。
【００２６】
図５は、例えば、デジタルカメラ１５の映像が、本発明の映像表示装置の例で４つの表示デバイス２１，２２，２４，２５に分割して表示されるメカニズムを示している。画面のうち、横線で示した映像信号に着目して説明する。この１ラインの映像信号は表示開始位置（ｘ，ｙ）が（５０，９００）、描画長が１０２４ドット、表示デバイス２１，２２，２４，２５の各画面サイズが横６４０ドット、縦４８０ドットであるとする。映像表示装置２０の左下の表示デバイス２１では、この映像信号パケットの表示開始位置のｙ座標の値が描画範囲外であることを判断し、ｙ座標の値を縦の画面サイズ分だけ減じた４２０（＝９００−４８０）に変更する。さらに、１ラインの描画長（横幅）が横の画面サイズ以上であることから、描画長が４９０（＝６４０−５０）ドットと、５３４（＝１０２４−４９０）ドットの映像信号パケットに分割し、前半の映像信号パケットの表示開始位置（ｘ，ｙ）を（５０，０）とする。分割した前半の映像信号パケットを表示デバイス２１の上用の出力端子より出力する。分割した後半の映像信号パケットは、表示デバイス２１の右上用の出力端子より出力する。
【００２７】
これらの映像信号パケットを受け取った表示デバイス２４，２５は、入力された映像信号パケットの表示開始位置がそれぞれ表示範囲内であることから、映像信号パケットを表示範囲内と範囲外に分割し（この例では、範囲外の部分は空）、範囲内の映像部分を表示部にて表示する。
【００２８】
図６は、例えば、チューナ１２で受信した映像を、利用者の指示に従って、表示デバイス２３で表示するまでの手順の、１事例を示している。チューナ１２は、テレビ放送を受信し、原点（０，０）が左下になるような映像信号パケットを出力する電波受信部と、利用者など外部からの指示に従い表示開始位置を加工するパケット加工部から構成される。パケット加工部は表示開始位置を加工するが、初期値としては何も加工しない。すると、原点（０，０）が左下になるような映像信号パケットをチューナ１２は出力するため、図６のように映像表示装置２０には表示される。
【００２９】
この映像表示装置２０の利用者が、希望表示位置を例えばマウスなどを使って指示する場合を次に説明する。例えば、利用者が（１３１０，４５０）を映像の左上の表示位置として指示した場合、マウスクリックすることにより、その指示データがチューナ１２に伝えられる。指示データを受信したチューナ１２のパケット加工部は、チューナ１２の出力映像の左上の位置（０，４００）が指定位置（１３１０，４５０）になるよう、電波受信部の出力する映像信号パケットの表示開始位置に（１３１０，５０）を加算して出力する。また、図６のテレビ映像画面のうち、横線で示した１ラインの電波受信部からの映像信号の表示開始位置（ｘ，ｙ）＝（０，３５０）は、パケット加工部で（１３１０，４００）に変更して出力する。
【産業上の利用可能性】
【００３０】
上記の説明では、図２の表示部５に、１つの表示画面を想定したが、例えば、図７（ａ）に示すような単位表示デバイスを繰り返し用いて図７（ｂ）に示すような位相のずれた配列とすることができる。この場合は、図７（ａ）に示すような単位表示デバイスは、本発明の方法によって構成しても、従来の方法で構成してもよい。また、この単位表示デバイスは並進対称性をもつそれぞれの方向用の出力をもてばよい。
【００３１】
（クッキリボタン）
また、ディスプレイ上に任意の領域を指定し、そのボタンを押すことで、その領域の解像度を上げ、その領域の画像をクッキリさせる、動画であればリフレッシュレートを上げる手段を解像度を上げる代わりに用いたり両者を併用したりすることにより動画をクッキリさせる、謂わば、クッキリボタンを設けることができる。これについて、従来は、指示に応じて、画像全体の解像度を変えることが行なわれている。
【００３２】
この様なオプションを装備することにより、ネットワークの利用など通信帯域が制限されている環境で、必要とされる部分は高精細で表示しつつ全体の通信帯域は低く抑えて、良好なレスポンスや低通信料金でのサービスを提供することができる。
【００３３】
これを実現するためには、図８あるいは図９の回路を用いて、画像や映像の送信元機器に、指定した領域のデータだけ高精細で送るよう指示する。送信元は、当該部分の座標を含んだ高精細データを送信する。これにより、指示された部分のデータ量が増加し、解像度は上げつつ残りの領域の解像度は低いままおさえることができる。
【００３４】
このように、部分的な高精細データを送付する方法としては、高精細データが矩形の場合は、矩形原点（例えば右上の頂点）の位置、矩形の長さ、解像度、の情報をまず知らせておけば、後はデータのみを送付すれば（データの順番は、例えば右上から左に進み、矩形の右辺に達したら、一つ下の行でまた右から、などと適宜定める）、それでその矩形の範囲を表示することができる。その際、表示装置の解像度にデータの解像度が足らない場合は、適宜補完などを行う。
【００３５】
（多数画面の配置認識：位置に対応した接続ポートによる方式）
多数画面を一体で大画面として使用する場合、一つの映像表示装置を構成する複数の単位表示デバイスのそれぞれがその位置関係を認識して一体として動作するための準備を行っておく必要がある。この調整が手軽であることが望ましい。
【００３６】
例えば、他の表示装置と接続するための表示装置の接続ポートは上下左右用の４個を用意し、映像信号の入力された表示装置の座標を原点としそこから、上下左右方向の当該表示装置の接続ポートに従って、縦及び横方向の当該表示装置の画素数を引いた位置データに書き換えた画像データを送信する。複数の表示装置への同時入力も可能であり、映像信号毎にそれぞれの原点があることになる。本方法で得られた画像の表示位置は初期値であり、あとで画像の表示位置はユーザが変更可能である。この場合表示装置側の原点の位置は同じで、画像の位置データのみを変更すればよい。
【００３７】
本提案によれば、画面の位置に合わせて上下左右のポートに単位表示デバイスを接続するだけで、特段の配置認識手続きが必要なく複数の単位表示デバイスでの一体表示が可能となる。
【００３８】
（多数画面の配置認識：カメラによる方式）
多数画面の配置認識においては、図１０（ａ）に示す様に、一つの映像表示装置を構成する複数の単位表示デバイスのどれか（ここでは、７つの単位表示デバイスのうち７番目の単位表示デバイス）に撮像カメラを接続して単位表示デバイス群全体をその単位表示デバイスに映した状態で、その単位表示デバイスに自動配置認識の指示を出すことにより、接続された全ての単位表示デバイスが自動的にそれぞれの位置情報（解像度も検出可能）を把握させる。
【００３９】
すなわち、単位表示デバイスは、接続されたら、その単位表示デバイス固有のＩＤや解像度などの情報を交換し、登録するようにしておく。自動配置認識の指示があったら、自分自身を含め各ＩＤの単位表示デバイスに他の単位表示デバイスと識別できる映像を送り（例えば、識別したい単位表示デバイスは赤、それ以外は青など）当該単位表示デバイスの位置をカメラ画像を処理し検出する。これを全ての単位表示デバイスに知らせることにより、個々の単位表示デバイスが自分の位置情報を知ることができる。この機能は全て単位表示デバイス側にあるため撮像カメラは通常のものでよい。
【００４０】
（多数画面の配置認識：ＩＤ表示による方式）
図１０（ｂ）に示す回路で、どれかの表示装置に自動配置認識の指示を出すと、他の表示装置に番号が出力されるようにしておく。一方、自動配置認識の指示を受けた表示装置には対応する数字の入った表示装置のアイコン群がでるようにしておく。その上で、ユーザがリモコンでそれらのアイコンを実際の表示装置の位置関係に並べることで多数画面の配置認識を行うものである。
【００４１】
アイコンの大きさは、解像度などのディスプレイ情報により実際のサイズを反映させることも可能である。これにより、各表示装置は、自分の位置情報を知ることができる。
【００４２】
これによって、カメラを必要とせず配置認識が可能である。各ディスプレイは互いに接続されており、情報は交換できるが、位置関係が不明であるので、ユーザが代表とする表示装置で位置関係を教えるものである。
【符号の説明】
【００４３】
１    表示デバイス
２    受信部
３    加工部
４    送信部
５    表示部
１１    ビデオカメラ
１２、１３    チューナ
１４    ハブ
１５    デジタルカメラ
１６    パソコン
２０    映像表示装置
２１、２２、２３、２４、２５    表示デバイス
３０    表示デバイス
４０    表示制御部
５０    表示デバイス
６０    配置認識装置
【図１】
0005548898.tif 000002
【図２】
0005548898.tif 000003
【図３】
0005548898.tif 000004
【図４】
0005548898.tif 000005
【図５】
0005548898.tif 000006
【図６】
0005548898.tif 000007
【図７】
0005548898.tif 000008
【図８】
0005548898.tif 000009
【図９】
0005548898.tif 000010
【図１０】
0005548898.tif 000011